(57)【要約】【課題】寒い時期や暑い時期における問題を解消するために、断熱、保温、放熱、通気、換気機能のある衣服用素材及びそれを用いた衣服を提供する。【解決手段】第１層と、第２層と、第１層と第２層との間に設けられた接続材とにより構成される衣服用素材及びそれを用いて製造した衣服において、第１層及び第２層が単位メッシュを規則正しく配列した表面形状パターンを有しており、接続材が極細の糸により第１層と第２層とを接続している。【選択図】図３
2017145542.tif 000002
【特許請求の範囲】
【請求項１】
第１層と、第２層と、前記第１層と前記第２層との間に設けられた接続材とにより構成される衣服用素材であって、前記第１層と前記第２層が単位メッシュを規則正しく配列した表面形状パターンを構成しており、前記接続材が極細の糸により前記第１層と前記第２層とを接続していることを特徴とする衣服用素材。
【請求項２】
前記接続材が、前記第１層と前記第２層との間においてループ状にされることを特徴とする、請求項１に記載の衣服用素材。
【請求項３】
前記接続材が、前記第１層と前記第２層との間においてジグザグ状にされることを特徴とする、請求項１に記載の衣服用素材。
【請求項４】
前記接続材が、前記第１層と前記第２層との間において直線状にされることを特徴とする、請求項１に記載の衣服用素材。
【請求項５】
前記単位メッシュ及び前記第１層と前記第２層の間隔によって生じる単位体積が９ｍｍ3以上であり、前記第１層と第２層の間隔が４ｍｍ〜５ｍｍであることを特徴とする、請求項１から４の何れか１項に記載の衣服用素材。
【請求項６】
請求項１から５の何れか１項に記載の衣服用素材を用いて製造された衣服。
【請求項７】
前記第１層の表面又は前記第１層と前記第２層との間に、換気用空気、温風又は冷風を送るためのダクト・パイプを含むことを特徴とする、請求項６に記載の衣服。
【発明の詳細な説明】
【技術分野】
【０００１】
本発明は、寒い時期や暑い時期における不快感を緩和することのできる、断熱、保温、放熱、通気、換気機能のある衣服用素材及びそれを用いた衣服に関する。
【背景技術】
【０００２】
寒い時期に着用する衣服には断熱、保温機能が求められる。当該機能を高めるための手段として、従来、毛糸や太めの糸で織った繊維で保温性を保つ方法や、綿や羽毛などを繊維の内部に閉じ込めて綿や羽毛の保温性によって断熱、保温性能を高める方法があった。また、これらの手段や方法を用いた衣料が種々開発されている。
【０００３】
しかしながら、これらの従来の手法では、いずれも、着用時の保温機能は十分であるが、換気機能、通気性、放熱機能などについては良好とはいえず、寒い場所から乗り物や室内へ移動したときなどに、衣服内にこもった自身の汗で蒸れてしまい、不快な思いをする場合が多い。
【０００４】
暑い時期に用いる衣服としては、通常のものよりも通気性が良いとされる繊維や無数の孔の開いた素材を衣服に取り付けて密着率を少なくし、放熱や通気性を促進しようとする方法を採用したものや、衣服の一部に空気抜き孔や開口部を設けて通気性を確保しようとしたものがある。しかしながら、これらの手段は、暑さ対策としては、さほど効果の大きいものではなく、高温時には多量の発汗による蒸れで衣服が汗でしみてしまい不快な思いをすることが多かった。このような問題は、暑い時期であるので仕方ないとあきらめていたのが実情である。
【発明の概要】
【発明が解決しようとする課題】
【０００５】
本発明の目的は、上述したような従来あきらめていた、寒い時期や暑い時期における問題を解消する衣服及びその素材を提供することである。すなわち、断熱、保温、放熱、通気、換気機能のある衣服用素材及びそれを用いた衣服を提供することである。
【課題を解決するための手段】
【０００６】
本発明による衣服用の素材は、これまでの衣服に採用された素材とは一線を画しており、繊維、不織布、ニット織物の様なものではなく、二層構造以上の構成を備えていて、外見はマット状あるいは薄いクッション形状のものである。本発明による衣服用の素材は、外層となるメッシュ状の第１層と、内層となるメッシュ状の第２層を少なくとも有しており、当該第１層と第２層の間に設けられる接続材により構成される。本発明の接続材は、複数本の極細の糸で、ループ状、ジグザグ状、直線状、網目状などに規則正しく配列されて構成されている。本発明の接続材は、外層である第１層と内層である第２層を接続し、この接続材が層の間に断熱、保温、放熱、通気、換気の機能を有効に発揮するように工夫されている。本発明の衣服用の素材は、毛織物より糸は細く、目が大きく、通気性の良いメッシュ状素材である。本発明の素材は、従来、ベッドや椅子の通気芯材として開発された素材に類似するが、衣服の素材に適するように、表裏面を、衣服、下着、素肌等の擦れ等によって損傷を与えないように、できるだけ柔らかく、疎水性の良い素材を用いて、快適な衣服の素材となるように工夫されたものである。
【０００７】
本発明の衣服は、上記のような構成の素材を用いて作成されており、その見た目のデザインは、鎖帷子のようである。また、本発明の衣服は、肌着の上又は素肌に直接着用し、その上にシャツ、セーター、又はその他の衣服を着用することによって効果が発揮されるが、着衣によって効果も変化する。この構成によって外側に着用した衣服と本発明の衣服と、肌着又は素肌との間に体温で合成された空気膜が形成され、間に閉じ込められた空気層で断熱、保温性を保ち体温と外気温の温度差による滞留空気の熱交換が行われ、放熱、通気、換気作用を実現することができる。したがって、表面体温が上昇した場合には、滞留空気が熱膨張作用で放熱、通気、換気機能が発生し、暑さや蒸れを防止して快適な環境を提供することができるし、寒い時は、外気温で収縮された密度の濃い空気層で上記のように断熱、保温がなされる。
【０００８】
本発明の衣服は、上記したような放熱、熱交換作用によって、快適環境を提供できるが、夏季等の更なる暑さ対策が必要な環境下では、第１層と第２層の層間に空気又は冷水、冷温パイプで冷水を送る機構を設け、各々のポンプなどを接続して温度調整機構を構成することで、更なる快適な状態を提供することができるようになされている。
【０００９】
また、層間の厚みを調整することによって温冷効果は更に向上させることができる。即ち、層間の厚みが厚くなり、単位メッシュ当たりの接続材で構成される第１層と第２層の間の空間である単位体積が大きくなると、換気機能は向上し保温機能は低下する。よって、この厚みを任意に選択することによって最良の効果を得ることができる。
【００１０】
また、寒い時期においても、寒いところから暖房の効いた暖かい部屋に入った場合には、急激な加温等で急に蒸れる場合があるが、この場合にも、本発明を採用することによって、快適な環境を提供することができる。それには、第１層と第２層の層間や表面に温熱空気を送るダクト・パイプ機構を設け、ダクト・パイプを熱源に接続することによって、温風を送り、暖房効果を得ることもできる。
【発明の効果】
【００１１】
本発明によれば、簡単な構成で、冬季は外気温に左右されにくい快適な保温状態を提供することができ、夏季には放熱、通気機能によって快適に過ごすことができる衣服を提供することができ、材質そのものが全面空気流通構造になっているので、人工的な温熱又は冷熱手段による温度調整もできる、いわゆる着るエアコンのようなものになる。
【図面の簡単な説明】
【００１２】
【図１】本発明の衣服の概略を示す図である。
【図２】本発明の衣服の素材構成を説明するための部分拡大図である。
【図３】図２の線Ａ−Ａに沿った断面図である。
【図４】単位体積の構成を示す斜視図である。
【図５】空気を送るダクト・パイプを衣服に装着した状態を示す斜視図である。
【発明を実施するための形態】
【００１３】
本発明の一実施例を図面を用いて説明する。図１は、本発明による衣服の概略を示す斜視図である。衣服１は、ベスト状に構成され、前部に衣服１を着たり脱いだりするのに便利な開閉機構２が設けられている。開閉機構は好ましくはファスナーであるが、ボタン、マジックテープ（登録商標）等衣服を身に着けたり脱いだりするのに便利な通常の機能を有するものを採用することができる。また、開閉機構２を省略して、衣服１を頭からかぶる形式にすることも自在である。図において７は、衣服１を身体にできるだけ密着させるための調整機構である。この調整機構７は、ゴム網、ゴム紐、ゴム板等で構成されているが、調整機構は収縮作用を持つ材質であれば、特にこだわるものではなく、絞めたり緩めたりすることで着用する人の体格に合わせて衣服を身体にフィットさせることができるようになされている。
【００１４】
図２は、本発明の衣服１の素材構成を説明するための部分拡大図である。本実施例の衣服用素材は、六角形の単位メッシュ３が規則正しく配列された表面形状パターンを有しているが、表面形状パターンを構成する単位メッシュ３は六角形に限るものではなく、例えば、円形、長円形、正方形、長方形、ひし形等様々な形状を採用することができる。
【００１５】
図３は、図２の線Ａ−Ａに沿った断面図である。図３において、４は衣服１の素材を構成する外層となる第１層、５は内層となる第２層、６は内層と外層の間の接続材である。第１層４及び第２層５は、上記の単位メッシュ３を規則的に配列した形状を有している。また、接続材６は、図３（ａ）の断面図で示すように、極細の糸をループ状にした構成となっている。接続材６は、極細の糸を図３（ｂ）に示すようなジグザグ状、図３（ｃ）に示すような直線状、又は網目状などの他の形状にすることもできる。
【００１６】
図４は、単位体積の構成を示す斜視図であり、保温力と放熱・換気効果を勘案して、単位メッシュ３当たりの接続材６で構成される第１層４と第２層５の間の空間には図３の接続材６を内蔵する。この空間の単位体積は、好ましくは９ｍｍ3以上、第１層４と第２層５の間隔（厚み）は４ｍｍ〜５ｍｍとされるが、これに限定されない。単位体積が９ｍｍ3よりもかなり小さいと、保温力は向上するが、放熱・換気効果が下がる。一方、単位体積が９ｍｍ3よりも大きいと、保温力は下がるが、通気・換気機能は向上する。よって、衣服１を夏冬共通で利用することも好ましいが、その場合には第１層４と第２層５の間隔（厚み）は７ｍｍ以内が好ましい。
【００１７】
図５は、空気、温水、冷水を送るダクト・パイプを衣服に装着した状態を示す斜視図である。図５（ａ）は、衣服１を前側から見た図であり、図５（ｂ）は、衣服１を後ろ側から見た図である。図において、ダクト・パイプ８は前側に２本、後ろ側に３本あり、それぞれが衣服１の外層となる第１層に装着されているが、少なくとも後ろ側の中央位置に装着されていればよく、装着する数はこれに限るものではない。ダクト・パイプ８は、送給チューブ９によって相互に連結されており、この送給チューブ９は、ポンプ１１に接続されて空気、温水、冷水が供給又は吸引されるようになっている。ダクト・パイプ８には多数の孔が開けられて、温、冷空気がこの孔から衣服１に供給されて外層である第１層４に送られて接続材６に供給されるか、あるいは衣服１の接続材６の空気を第１層４から吸引するようになっている。また、ダクト・パイプ８には孔のない液体を供給するタイプのものもある。本実施例のダクト・パイプ８は、扁平パイプ状に形成されて衣服１の外層である第１層４に装着される構成であるが、衣服１の第１層４と第２層５の間の接続材６中に埋め込まれてもよい。また、ダクト・パイプ８は、扁平パイプ状のものに限らず、衣服１の接続材６中に空気や液体を供給する構成、あるいは接続材６中の空気や液体を吸引又は循環できる構成であれば、いかなる形状でも構わない。
【００１８】
図５（ｂ）において、１０は温熱源若しくは冷熱源設置ポケットであり、このポケット１０は図示のとおり衣服１の内層である第２層５の表面に設けられるか、又は第１層４の表面に設けられる。ポケット１０にポケットカイロ、温熱ヒータ、ペルチェ素子、冷却シート等の温熱源又は冷熱源を設置し、チューブ９をこのポケット１０に接続又は接触することで、ポケット１０内の温熱又は冷熱をダクト・パイプ８を介して衣服１の接続材６に供給して、衣服内全体の環境を快適にすることができるようになっている。
【００１９】
本発明に使用するポンプ１１は、小型、軽量で携帯に便利なものであればよく、電池式やソーラー充電式のものが好ましいが、手動のものであってもよい。ポンプ１１は、周知の取付機構を用いて、本発明の衣服１着用者の服、ベルト、ポケット等に取り付け又は収納される。また、循環するものが液体ではなく気体である場合には、ポンプに限定するものではなく、ファン式の送風機であってもよい。
【符号の説明】
【００２０】
１    衣服
２    開閉機構
３    単位メッシュ
４    第１層
５    第２層
６    接続材
７    調整機構
８    ダクト・パイプ
９    送給チューブ
１０  温熱源又は冷熱源設置ポケット
１１  ポンプ又はファン式送風機
【図１】
2017145542.tif 000003
【図２】
2017145542.tif 000004
【図３】
2017145542.tif 000005
【図４】
2017145542.tif 000006
【図５】
2017145542.tif 000007